(57)【要約】      （修正有）【課題】前方に向かって開放される台面を有しても良好に犬の飛び降りを防止することができるフォトブースを提供する。【解決手段】フォトブース３５は、予め決められた地上高さＨｇで水平方向に広がって犬を支持し前方に向かって開放される台面３６ａを有する支持台３６と、台面の前端３８ａから後方に向かって地上高さＨｇの数値よりも小さい距離Ｄｐで離れた位置で台面から鉛直方向に地上高さの数値以上の高さＨｃで立ち上がるバックパネル３７とを備える。写真の撮影にあたって支持台の台面に犬は支持される。犬の体高に対して十分に台面の地上高さが確保されると、犬は恐怖心から台面から床面に向かって飛び降りることを躊躇する。【選択図】図３
0003221194.tif 000002
【実用新案登録請求の範囲】
【請求項１】
予め決められた地上高さで水平方向に広がって犬を支持し前方に向かって開放される台面を有する支持台と、
前記台面の前端から後方に向かって前記地上高さの数値よりも小さい距離で離れた位置で前記台面から鉛直方向に前記地上高さの数値以上の高さで立ち上がるバックパネルと、
を備えることを特徴とする犬用フォトブース。
【請求項２】
請求項１に記載の犬用フォトブースにおいて、前記台面の前端と前記バックパネルとの距離は４５０ｍｍ以下に設定されることを特徴とする犬用フォトブース。
【請求項３】
請求項２に記載の犬用フォトブースにおいて、前記台面の前記地上高さは床面から４５０ｍｍ以上に設定されることを特徴とする犬用フォトブース。
【請求項４】
キッチンで盛りつけられて、テーブルに着くひとに提供される食物を支持し、少なくとも前記キッチンおよびホールで流通する第１食器と、
前記キッチンで盛りつけられて、前記ひとに連れられてきた犬に提供される食物を支持し、少なくとも前記キッチンおよび前記ホールを流通する第２食器と、
前記犬の撮影に用いられるフォトブースとを備え、
前記フォトブースは、
予め決められた地上高さで水平方向に広がって犬を支持し、前方に向かって開放される台面を有する支持台と、
前記台面の前端から後方に向かって前記地上高さの数値よりも小さい距離で離れた位置で前記台面から鉛直方向に前記地上高さの数値以上の高さで立ち上がるバックパネルと、
を備えることを特徴とする飲食店舗システム。
【考案の詳細な説明】
【技術分野】
【０００１】
本考案は、予め決められた地上高さで水平方向に広がって犬を支持する支持台を備える犬用フォトブースに関する。
【背景技術】
【０００２】
特許文献１は、犬を撮影し、撮影後に画像をプリントアウトすることができるプリント装置を開示する。プリント装置は、撮影にあたって犬を支持する台座を備える。台座の前端には、台座上の空間の前方を閉じる柵部材が取り付けられる。柵部材は犬の飛び降りを防止する役割を果たす。
【先行技術文献】
【特許文献】
【０００３】
【特許文献１】特開２００７−２１２５７３号公報
【考案の概要】
【考案が解決しようとする課題】
【０００４】
柵部材は、軸回りで回転して退避位置に至るものの、台座の陰に隠れるわけではないので、台座の前端で画像に映し出されてしまう。台座の前端が画像から外されれば柵部材は映し出されないものの、画像の構図は制限されてしまう。柵部材がなくても、良好に犬の飛び降りを防止する術が要求される。
【０００５】
本考案は、前方に向かって開放される台面を有しても良好に犬の飛び降りを防止することができるフォトブースを提供することを目的とする。
【課題を解決するための手段】
【０００６】
本考案の第１側面によれば、予め決められた地上高さで水平方向に広がって犬を支持し前方に向かって開放される台面を有する支持台と、前記台面の前端から後方に向かって前記地上高さの数値よりも小さい距離で離れた位置で前記台面から鉛直方向に前記地上高さの数値以上の高さで立ち上がるバックパネルとを備える犬用フォトブースが提供される。
【０００７】
バックパネルは正面を向いて四つ足で立つ犬の尻に接触することから、台面の前端とバックパネルとの距離によって、四つ足で台面上に立つ犬の大きさは制限されることができる。そして、台面の地上高さに基づき台面の前端とバックパネルとの距離は設定されることから、台面の地上高さに応じて犬の大きさは制限されることができる。犬の体高に対して十分に台面の地上高さが確保されると、犬は恐怖心から台面から床面に向かって飛び降りることに躊躇する。したがって、犬は撮影中に台面上に留められることができる。その一方で、犬の体高に対して台面の地上高さが低いと、犬は容易く台面から床面に向かって飛び降りることができる。撮影はままならない。
【０００８】
前記台面の前端と前記バックパネルとの距離は４５０ｍｍ以下に設定されればよい。こうして台面の前端とバックパネルとの距離が設定されると、犬の大きさはいわゆる小型犬の大きさに限定されることができる。したがって、支持台の強度は小型犬の体重に合わせて設定されることができる。撮影可能な犬種を確保しながら、できる限りフォトブースの軽量化は実現されることができる。
【０００９】
前記台面の前記地上高さは床面から４５０ｍｍ以上に設定されればよい。台面の地上高さが４５０ｍｍ以上に設定されると、小さな犬が台面に載った際でも、撮影者によって保持されるカメラのレンズは十分に犬の目線の高さに合わせられることができる。したがって、背景にバックパネルが映し出される良好な犬の像は撮影されることができる。その一方で、台面の地上高さが４５０ｍｍに達しないと、小さな犬が台面に載った際に、撮影者が屈んでも（あるいは床面に膝を着けても）、カメラのレンズから犬を見下ろす形でしか犬を撮像することができない。犬の背景にバックパネルに比べて台面が大きく映し出される構図しか確立されることができない。良好な構図とは言えない。
【００１０】
本考案の第２側面によれば、キッチンで盛りつけられて、テーブルに着くひとに提供される食物を支持し、少なくとも前記キッチンおよびホールで流通する第１食器と、前記キッチンで盛りつけられて、前記ひとに連れられてきた犬に提供される食物を支持し、少なくとも前記キッチンおよび前記ホールを流通する第２食器と、前記犬の撮影に用いられるフォトブースとを備え、前記フォトブースは、予め決められた地上高さで水平方向に広がって犬を支持し、前方に向かって開放される台面を有する支持台と、前記台面の前端から後方に向かって前記地上高さの数値よりも小さい距離で離れた位置で前記台面から鉛直方向に前記地上高さの数値以上の高さで立ち上がるバックパネルとを備える飲食店舗システムが提供される。
【００１１】
ひとは、テーブルに着いて、第１食器に盛られた食物を食することができる。犬は、第２食器に盛られた食物を食すことができる。こうしてひとは犬といっしょに食事を楽しむことができる。犬は、店舗以外で見られないフォトブースで撮影されるので、ひと（飼い主）は、犬の写真を残すことで、店舗で過ごした時間を記録することができる。こうした特別な動作はひとの気持ちに訴えることから、顧客満足度の向上に貢献することができる。店舗のファン作りに大いに役立つことができる。
【考案の効果】
【００１２】
以上のように開示の犬用フォトブースによれば、前方に向かって開放される台面を有しても良好に犬の飛び降りを防止することができる。
は提供される。
【図面の簡単な説明】
【００１３】
【図１】本考案の一実施形態に係る飲食店舗システムを含む建造物の外観を概略的に示す斜視図である。
【図２】本実施形態に係る飲食店舗システムを採用するキッチンおよびホールの構造を概略的に示す遠近法図である。
【図３】フォトブースの拡大斜視図である。
【図４】台面に犬を載せたフォトブースの側面図である。
【考案を実施するための形態】
【００１４】
以下、添付図面を参照しつつ本考案の実施形態を説明する。
【００１５】
図１は本考案の一実施形態に係る店舗を含む建造物の外観を概略的に示す。建造物１１は、鉄筋コンクリートや鉄筋鉄骨コンクリートその他の材質から形成される柱、梁、床、壁および天井を有する躯体１２と、躯体１２に組み込まれる窓枠１３や扉枠１４とを備える。窓枠１３にはガラス板が嵌め込まれる。扉枠１４には開き戸が開閉自在に組み込まれる。開き戸は垂直軸線回りに回転可能にヒンジで縦枠に連結される。
【００１６】
図２に示されるように、建造物１１には飲食店舗システムＭが組み込まれる。飲食店舗システムＭは、躯体１２に組み付けられてキッチン１５を区画する第１構造体１６と、躯体１２に組み付けられて、キッチン１５から分離されたホール１７を区画する第２構造体１８とを備える。第１構造体１６および第２構造体１８は、それぞれ、間仕切り１９や置き床２１、天井板２２などを含む。ここでは、キッチン１５は間仕切り１９でホール１７から分離される。その他、キッチン１５はカウンターでホール１９から分離されるオープンキッチンに構成されてもよい。
【００１７】
飲食店舗システムＭは、ホール１７内に設置される１以上のテーブル２３を備える。個々のテーブル２３は、置き床２１の床面から所定の高さに脚２３ａで支持される天板２３ｂを備える。テーブル２３には置き床２１の床面から所定の高さに座面を有する座席２５が組み合わせられる。座席２５にはひとＨＢのほか犬ＤＧその他の動物が座ることができる。
【００１８】
個々のテーブル２３にはロースター２６が設置される。ロースター２６は、バーナーの上方で金網２６ａを保持する開口２６ｂと、金網２６ａの上方で金網２６ａを取り囲み開口２６ｂの内壁に配置される排気口２６ｃとを備える。金網２６ａの上に置かれた食材はバーナーで焼かれることができる。排気口２６ｃは金網２６ａ上の空間に向き合わせられる。金網２６ａ上の空間から排気口２６ｃに空気は流入する。
【００１９】
飲食店舗システムＭは、少なくともキッチン１５およびホール１７で流通する第１食器２７および第２食器２８を備える。第１食器２７および第２食器２８は個々のテーブル２３に載せられる。第１食器２７はひとＨＢに対する食事の提供に用いられる。第１食器２７は皿および椀、ボウル、箸、スプーン、フォークその他を含む。
【００２０】
第２食器２８は犬ＤＧに対する食事の提供に用いられる。第２食器２８は皿および椀、ボウル、箸、スプーン、フォークその他を含む。ひとＨＢに専用の第１食器２７と犬ＤＧに専用の第２食器２８とは分別される。ひとＨＢ専用の第１食器２７は犬ＤＧの食事には用いられない。犬ＤＧ専用の第２食器２８はひとＨＢの食事には用いられない。ここでは、第１食器２７は第２食器２８から色分けされる。第１食器２７の皿や椀、ボウルは例えば白色に着色される一方で、第２食器２８の皿や椀、ボウルは例えば赤色に着色される。第２食器２８は例えば床面に置かれる犬ＤＧ用の食事台２９に載せられてもよい。
【００２１】
キッチン１５には、ガスコンロ３１といった調理器具や冷蔵庫その他の電化製品が設置される。ガスコンロ３１で食材の調理は実施される。ガスコンロ３１の上方には換気扇ユニット３２が設置される。換気扇ユニット３２でシロッコファンが回転すると、ガスコンロ３１上の空間から空気は換気口３３に流入する。ガスコンロ３１で熱せられ食材の調理匂いを含む空気は換気口３３に吸い込まれる。
【００２２】
第１食器２７の皿や椀、ボウルにはキッチン１５で食物が盛りつけられる。第１食器２７はキッチン１５からホール１７に運ばれる。第１食器２７には、テーブル２３に着くひとＨＢに提供される食物が支持される。食後の第１食器２７は例えばキッチン１５内の洗い場で洗浄される。こうして第１食器２７は少なくともキッチン１５およびホール１７で流通する。
【００２３】
同様に、第２食器２８の皿や椀、ボウルにはキッチン１５で食物が盛りつけられる。第２食器２８はキッチン１５からホール１７に運ばれる。第２食器２８には、ひとＨＢに連れられてきた犬ＤＧに提供される食物が支持される。食後の第２食器２８は例えばホール１７内の洗い場で洗浄される。こうして第２食器２８は少なくともキッチン１５およびホール１７で流通する。
【００２４】
ホール１７内には、犬ＤＧの撮影に用いられるフォトブース３５が設置される。フォトブース３５は、置き床２１上に支持される支持台３６と、支持台３６に固定され、支持台３６から鉛直方向に立ち上がるバックパネル３７とを備える。図３に示されるように、支持台３６は、予め決められた地上高さＨｇで水平方向に広がる台面３６ａを有する。台面３６ａの地上高さＨｇは床面から４５０ｍｍ以上６００ｍｍ以下に設定される。台面３６ａに犬ＤＧは支持される。
【００２５】
支持台３６は箱形に形成される。台面３６ａは矩形の輪郭を有する。台面３６ａの前端３８ａおよび後端３８ｂは相互に平行に線形に規定される。台面３６ａの側端３８ｃは、前端３８ａおよび後端３８ｂに直交し、相互に平行に線形に規定される。
【００２６】
支持台３６ａの前面は、床面から垂直に立ち上がる前板３９で形成される。支持台３６の前面には、撮影される画像の背景に相応しい処理が施される。処理には、前板３９の表面処理や彫刻処理、塗装処理、装飾処理、その他見栄えに関する一切の処理が含まれる。支持台３６の前面は台面３６ａとの間で視覚的に一体感を有する。例えば支持台３６の前面と台面３６ａとは連続面で接続されればよい。台面３６ａおよび前面の継ぎ目は台面３６ａに敷かれるマット（図示されず）で覆われてもよい。
【００２７】
支持台３６の側面は、前板３９の左右端にそれぞれ結合され、床面から垂直に立ち上がる側板４１で形成される。支持台３６の側面には、撮影される画像の背景に相応しい処理が施される。処理には、側板４１の表面処理や彫刻処理、塗装処理、装飾処理、その他見栄えに関する一切の処理が含まれる。支持台３６の側面は、台面３６ａおよび前面との間で視覚的に一体感を有する。例えば支持台３６の側面は台面３６ａおよび前面と連続面で接続されればよい。台面３６ａおよび側面の継ぎ目は台面３６ａに敷かれるマットで覆われてもよい。
【００２８】
台面３６ａは前方に向かって開放される。すなわち、台面３６ａは前面との稜線に向かって平面を維持する。台面３６ａの後端３８ｂにバックパネル３７は結合される。バックパネル３７の上端３７ａは台面３６ａの後端３８ｂに平行に線形に規定される。バックパネル３７は、台面３６ａから、地上高さＨｇの数値以上の高さＨｃを有する。
【００２９】
バックパネル３７の正面４２は平面の鉛直面で形成される。バックパネル３７の正面４２には、撮影される画像の背景に相応しい処理が施される。処理には、板材の表面処理や彫刻処理、塗装処理、装飾処理、その他見栄えに関する一切の処理が含まれる。バックパネル３７の正面４２は台面３６ａとの間で視覚的に一体感を有する。例えばバックパネル３７の正面４２と台面３６ａとで色や装飾に統一感が確立されればよい。台面３６ａおよびバックパネル３７の正面４２の継ぎ目は台面３６ａに敷かれるマットで覆われてもよい。
【００３０】
台面３６ａの前端３８ａとバックパネル３７との距離Ｄｐは台面３６ａの地上高さＨｇの数値よりも小さく設定される。したがって、バックパネル３７は、台面３６ａの前端３８ａから後方に向かって地上高さＨｇの数値よりも小さい距離Ｄｐで離れた位置で台面３６ａから鉛直方向に立ち上がる。台面３６ａの前端３８ａとバックパネル３７との距離Ｄｐは例えば１５０ｍｍ以上４５０ｍｍ以下に設定される。
【００３１】
ひとＨＢは、テーブル２３に着いて、第１食器２７に盛られた食物を食することができる。犬ＤＧは、第２食器２８に盛られた食物を食すことができる。こうしてひとＨＢは犬ＤＧといっしょに食事を楽しむことができる。そして、食後には、ひとＨＢはフォトブース３５で犬ＤＧの写真を撮影することができる。犬ＤＧは、店舗以外で見られないフォトブース３５で撮影されるので、ひとＨＢ（飼い主）は、犬ＤＧの写真を残すことで、店舗で過ごした時間を記録することができる。こうした特別な動作はひとＨＢの気持ちに訴えることから、顧客満足度は向上する。フォトブース３５は店舗のファン作りに大いに役立つ。
【００３２】
このとき、フォトブース３５では、支持台３６の台面３６ａや前面、バックパネル３７の正面３７ａに装飾が施されることができる。台面３６やバックパネル３７の正面３７ａは、例えば、正月、節分、雛祭り、端午の節句、七夕、十五夜その他の年中行事や、バレンタインデー、ホワイトデー、花見、イースター、母の日、父の日、夏祭り、ハロウィン、紅葉狩り、クリスマスその他のイベントに応じて飾り付けられることができる。こうした装飾は、撮影される画像の背景に季節感や時期を織り込むことができる。
【００３３】
写真の撮影にあたって支持台３６の台面３６ａに犬ＤＧは支持される。図４に示されるように、バックパネル３７は正面を向いて四つ足で立つ犬ＤＧの尻に接触することから、台面３６ａの前端３８ａとバックパネル３７との距離Ｄｐによって、四つ足で台面３６ａ上に立つ犬ＤＧの大きさは制限される。距離Ｄｐは概ね犬ＤＧの体長ＢＤ（＝胸から尻の先端まで）に相当する。そして、台面３６ａの地上高さＨｇに基づき台面３６ａの前端３８ａとバックパネル３７との距離Ｄｐは設定されることから、台面３６ａの地上高さＨｇに応じて犬ＤＧの大きさは制限される。犬ＤＧの体高ＢＨに対して十分に台面３６ａの地上高さＨｇが確保されると、犬ＤＧは恐怖心から台面３６ａから床面に向かって飛び降りることに躊躇する。したがって、犬ＤＧは撮影中に台面３６ａ上に留まる。その一方で、犬ＤＧの体高ＢＨに対して台面３６ａの地上高さＨｇが低いと、犬ＤＧは容易く台面３６ａから床面に向かって飛び降りてしまう。撮影はままならない。ここでは、バックパネル３７の高さＨｃは地上高さＨｇの数値よりも大きく設定される。小型犬では一般に体長ＢＤに比べて体高ＢＨが小さいことから、犬ＤＧが正面を向いて四つ足で立つと、犬ＤＧの尻はバックパネル３７に接触する。
【００３４】
本実施形態では、台面３６ａの前端３８ａとバックパネル３７との距離Ｄｐは４５０ｍｍ以下に設定される。こうして台面３６ａの前端３８ａとバックパネル３７との距離Ｄｐが設定されると、犬ＤＧの大きさはいわゆる小型犬の大きさに限定されることができる。したがって、支持台３６の強度は小型犬の体重に合わせて設定される。撮影可能な犬種を確保しながら、できる限りフォトブース３５の軽量化は実現される。
【００３５】
例えば、台面３６ａの前端３８ａとバックパネル３７との距離Ｄｐが４５０ｍｍに設定されると、台面３６ａには、カニンヘンダックス、スムースコートチワワ、タイニープードル、チワワ、ティーカッププードル、トイプードル、トイマンチェスターテリア、パピヨン、ブリュッセルグリフォン、プチブラバンソン、ベルジアングリフォン、ボロニーズ、ポメラニアン、豆柴、マルチーズ、ヨークシャーテリア、ロングコートチワワ、イタリアングレイハウンド、ウェルシュテリア、ウエストハイランドホワイトテリア、キャバリア、ケアンテリア、シーズー、シーリハムテリア、シェットランドシープドッグ、柴犬、ジャックラッセルテリア、スキッパーキ、スコティッシュテリア、チベタンスパニエル、チャイニーズクレステッドドッグ、チン、ノーフォークテリア、ノーリッチテリア、パグ、ビションフリーゼ、ペキニーズ、ボストンテリア、マンチェスターテリア、ミニチュアシュナウザー、ミニチュアダックス、ミニチュアピンシャー、ミニチュアプードル、ラサアプソ、レークランドテリア、ワイアーフォックステリア、その他の小型犬（ウエブサイト「みんなの犬図鑑」に基づく分類。以下、同様）が支持されることができる。その他、これら以外であっても、同程度の大きさであれば、アメリカンコッカースパニエル、アメリカンスタッフォードシャーテリア、イングリッシュコッカースパニエル、ウィペット、ウェルシュコーギーペンブローク、ウェルシュコーギーカーディガン、コーイケルホンディエ、スタッフォードシャーブルテリア、日本スピッツ、バセットハウンド、ビーグル、フレンチブルドッグ、ブルドッグ、プチバセットグリフォンバンデーン、ミディアムプードル、ミニチュアブルテリアといった中型犬が支持されることができる。ただし、これらはあくまで小型犬や中型犬の例示に過ぎない。
【００３６】
本実施形態では、台面３６ａの前端３８ａとバックパネル３７との距離Ｄｐは１５０ｍｍ以上に設定される。距離Ｄｐが１５０ｍｍを下回ると、ほとんどの犬種の犬は距離Ｄｐに収まることができない。したがって、フォトブース３５は犬ＤＧの撮影に用いられることができない。
【００３７】
本実施形態に係るフォトブース３５では、台面３６ａの地上高さＨｇは床面から４５０ｍｍに設定される。したがって、小さな犬ＤＧが台面３６ａに載った際でも、撮影者によって保持されるカメラのレンズは十分に犬ＤＧの目線の高さに合わせられることができる。したがって、背景にバックパネル３７の正面３７ａが映し出される良好な犬ＤＧの像は撮影されることができる。その一方で、台面３６ａの地上高さＨｇが４５０ｍｍに達しないと、小さな犬ＤＧが台面３６ａに載った際に、撮影者が屈んでも（あるいは床面に膝を着けても）、カメラのレンズから犬ＤＧを見下ろす形でしか犬ＤＧを撮像することができない。犬ＤＧの背景にバックパネル３７に比べて台面３６ａが大きく映し出される構図しか確立されることができない。良好な構図とは言えない。
【００３８】
本実施形態では、台面３６ａの地上高さＨｇは床面から６００ｍｍ以下に設定される。地上高さＨｇが６００ｍｍを超えると、台面３６ａの前端３８ａとバックパネル３７との距離Ｄｐに対して地上高さＨｇが視覚的に大きく強調されることから、飼い主は犬ＤＧにとって「高すぎ」ると感じてしまい安全性に不安を覚えてしまう。したがって、飼い主は心理的にフォトブース３５の利用を控えてしまうと想像される。
【符号の説明】
【００３９】
１５…キッチン、１７…ホール、２３…テーブル、２７…第１食器、２８…第２食器、３５…犬用フォトブース、３６…支持台、３６ａ…台面、３７…バックパネル、３８ａ…（台面の）前端、ＤＧ…犬、Ｄｐ…（前端およびパネルの）距離、Ｈｃ…（バックパネルの）高さ、Ｈｇ…地上高さ。
【図１】
0003221194.tif 000003
【図２】
0003221194.tif 000004
【図３】
0003221194.tif 000005
【図４】
0003221194.tif 000006